(57)【要約】【課題】撮影者の撮影意図を反映した再生を行うことができる再生装置を提供する。【解決手段】マイコン９が、読み出した撮影画像データがオートブラケット（ＡＢ）撮影モードで撮影されたものであると識別されたとき、識別された一組の撮影画像データの各々毎に変更された画像パラメータに関する画像補正処理を行わない。【選択図】図１
2006136026.tif 000002
【特許請求の範囲】
【請求項１】
記録媒体に記録された撮影画像データを読み出す第１読出手段と、前記読み出した撮影画像データを再生する画像再生手段と、前記撮影画像データの画像補正処理を行う画像補正手段とを備えた再生装置において、
前記読み出した撮影画像データが、一回の撮影操作に応じて、画像処理により調整可能な画像パラメータの値が各々異なった一組の撮影画像データが記憶されるオートブラケット撮影モードで撮影されたものであるか否かを識別する第１識別手段と、
前記一組の撮影画像データの各々毎に変更された前記画像パラメータを識別する第２識別手段とをさらに備え、
前記画像補正手段は、前記第１識別手段により前記撮影画像データが前記オートブラケット撮影モードで撮影されたものであると識別されたとき、当該撮影画像データに対して前記第２識別手段により識別された前記変更された画像パラメータに関する画像補正処理を行わないこと
を特徴とする再生装置。
【請求項２】
記録媒体に記録された撮影画像データを読み出す第１読出手段と、前記読み出した撮影画像データを再生する画像再生手段と、前記撮影画像データの画像補正処理を行う画像補正手段とを備えた再生装置において、
前記読み出した撮影画像データが、一回の撮影操作に応じて、画像処理により調整可能な画像パラメータの値が各々異なった一組の撮影画像データが記憶されるオートブラケット撮影モードで撮影されたものであるか否かを識別する第１識別手段と、
前記一組の撮影画像データの各々毎に変更された前記画像パラメータを識別する第２識別手段とをさらに備え、
前記画像補正手段は、前記第１識別手段により前記読み出した撮影画像データが前記オートブラケット撮影モードで撮影されたものであると識別されたとき、当該撮影画像データに対して前記第２識別手段により識別された前記変更された画像パラメータの値の補正量を、前記オートブラケット撮影モードで撮影されていない撮影画像データに対する前記画像パラメータの値の補正量よりも小さくして画像補正処理を行う
ことを特徴とする再生装置。
【請求項３】
前記画像補正手段が、前記第２識別手段により識別された前記画像パラメータの値の前記一組の撮影画像データ間での互いの差分が保たれるように、前記画像補正処理を行うこと
を特徴とする請求項２記載の再生装置。
【請求項４】
前記読み出した撮影画像データが前記第１識別手段により前記オートブラケット撮影モードで撮影されたものであると識別されたとき、当該撮影画像データとともに、前記一組の撮影画像データを構成する他の撮影画像データを読み出す第２読出手段とをさらに備え、
前記再生手段は、前記読み出した前記一組の撮影画像データを、同一平面上に並べて再生すること
を特徴とする請求項１〜３何れか１項記載の再生装置。
【請求項５】
前記第１識別手段は、撮影画像データを含む画像ファイルのファイル名に基づき、前記オートブラケット撮影モードで撮影されたものであるか否かを識別すること
を特徴とする請求項１〜４何れか１項記載の再生装置。
【請求項６】
前記第２識別手段は、撮影画像データを含む画像ファイルのファイル名に基づき、前記一組の撮影画像データの各々毎に変更された前記画像パラメータを識別すること
を特徴とする請求項１〜５何れか１項記載の再生装置。
【発明の詳細な説明】
【技術分野】
【０００１】
この発明は、再生装置に係わり、特に、オートブラケット撮影を行うスチルカメラが撮影した撮影画像を再生する再生装置に関する。
【背景技術】
【０００２】
銀塩カメラにおいて、露光量を変更しながら撮影するオートブラケット撮影が行われている。また特許文献１の発明において、露光量以外の撮影条件を変更しながら撮影を行うオートブラケット撮影が示されている。
【特許文献１】特開２００１−２０３９３４号公報
【発明の開示】
【発明が解決しようとする課題】
【０００３】
ところで、プリント出力などを行う再生装置においては、再生装置がよいと考える画質に自動で画質補正する場合がある。例えば、スチルカメラのオートブラケット撮影モードを使って、各々コントラストを変えながら画像処理を行った一組の撮影画像データを撮影した結果、その一組の撮影画像データは、互いに、わずかに明るさが異なる。
【０００４】
しかしながら、再生装置が、上記一組の撮影画像データを読み出して再生する際に、その再生装置の考える良い画質に画像補正すると、意図的に一組の撮影画像データの明るさを変えたにも係わらず、同じ明るさに補正されて再生される恐れがあった。
【０００５】
また、従来の発明では、オートブラケット撮影モードで撮影した場合に、どの画像データ同士が関連した画像データであるかを示していない。本来上記発明は、複数の画像データの中から自分の意図して撮影結果に近いものを、撮影後に選択するためのものであるから、オートブラケット撮影モードで撮影された一組の撮影画像データの関連性がわからなければならない。
【０００６】
そこで、本発明は、撮影者の撮影意図を反映した再生を行うことができる再生装置を提供することを第１の課題とする。
また、本発明は、オートブラケット撮影によって撮影された一組の撮影画像データの中から撮影者が最も意図していた結果を選択しやすくなる再生装置を提供することを第２の課題とする。
【課題を解決するための手段】
【０００７】
上記第１及び第２の課題を解決するためになされた請求項１記載の発明は、記録媒体に記録された撮影画像データを読み出す第１読出手段と、前記読み出した撮影画像データを再生する画像再生手段と、前記撮影画像データの画像補正処理を行う画像補正手段とを備えた再生装置において、前記読み出した撮影画像データが、一回の撮影操作に応じて、画像処理により調整可能な画像パラメータの値が各々異なった一組の撮影画像データが記憶されるオートブラケット撮影モードで撮影されたものであるか否かを識別する第１識別手段と、前記一組の撮影画像データの各々毎に変更された前記画像パラメータを識別する第２識別手段とをさらに備え、前記画像補正手段は、前記第１識別手段により前記撮影画像データが前記オートブラケット撮影モードで撮影されたものであると識別されたとき、当該撮影画像データに対して前記第２識別手段により識別された前記変更された画像パラメータに関する画像補正処理を行わないことを特徴とする再生装置に存する。
【０００８】
請求項１記載の発明によれば、画像補正手段は、第１識別手段により読み出した撮影画像データがオートブラケット（ＡＢ）撮影モードで撮影されたものであると識別されたとき、その撮影画像データに対して第２識別手段により識別された画像パラメータに関する画像補正処理を行わない。従って、撮影者が意図して変更した画像パラメータの値の違いをうち消すことのない画像補正を行うことができる。
【０００９】
請求項２記載の発明は、記録媒体に記録された撮影画像データを読み出す第１読出手段と、前記読み出した撮影画像データを再生する画像再生手段と、前記撮影画像データの画像補正処理を行う画像補正手段とを備えた再生装置において、前記読み出した撮影画像データが、一回の撮影操作に応じて、画像処理により調整可能な画像パラメータの値が各々異なった一組の撮影画像データが記憶されるオートブラケット撮影モードで撮影されたものであるか否かを識別する第１識別手段と、前記一組の撮影画像データの各々毎に変更された前記画像パラメータを識別する第２識別手段とをさらに備え、前記画像補正手段は、前記第１識別手段により前記読み出した撮影画像データが前記オートブラケット撮影モードで撮影されたものであると識別されたとき、当該撮影画像データに対して前記第２識別手段により識別された前記変更された画像パラメータの値の補正量を、前記オートブラケット撮影モードで撮影されていない撮影画像データに対する前記画像パラメータの値の補正量よりも小さくして画像補正処理を行うことを特徴とする再生装置に存する。
【００１０】
請求項２記載の発明によれば、画像補正手段が、第１識別手段により読み出した撮影画像データがオートブラケット撮影モードで撮影されたものであると識別されたとき、その撮影画像データに対して第２識別手段により識別された画像パラメータの値の補正量を、オートブラケット撮影モードで撮影されていない撮影画像データに対する画像パラメータの補正量よりも小さくして画像補正処理を行う。従って、撮影者が意図して変更した画像パラメータの値の違いをうち消すことのない画像補正を行うことができる。
【００１１】
請求項３記載の発明は、前記画像補正手段が、前記第２識別手段により識別された前記画像パラメータの値の前記一組の撮影画像データ間での互いの差分が保たれるように、前記画像補正処理を行うことを特徴とする請求項２記載の再生装置に存する。
【００１２】
請求項３記載の発明によれば、画像補正手段が、第２識別手段により識別された画像パラメータの値の一組の撮影画像データ間での互いの差分が保たれるように、画像補正処理を行う。従って、撮影者が意図して変更した画像パラメータの違いをうち消すことのない画像補正を行うことができる。
【００１３】
請求項４記載の発明は、前記読み出した撮影画像データが前記第１識別手段により前記オートブラケット撮影モードで撮影されたものであると識別されたとき、当該撮影画像データとともに、前記一組の撮影画像データを構成する他の撮影画像データを読み出す第２読出手段とをさらに備え、前記再生手段は、前記読み出した前記一組の撮影画像データを、同一平面上に並べて再生することを特徴とする請求項１〜３何れか１項記載の再生装置に存する。
【００１４】
請求項４記載の発明によれば、読み出した撮影画像データが、ＡＢ撮影モードで撮影されたものであるか否かを、第１識別手段が識別する。読み出した撮影画像データが、ＡＢ撮影モードで撮影されたものであるとき、第２読出手段が、その撮影画像データと共に、一組の撮影画像データを構成する他の撮影画像データを読み出す。再生手段が、読み出した一組の撮影画像データを、同一平面上に並べて再生する。従って、一組の撮影画像データを、同一平面上に並べて再生することにより、ＡＢ撮影モードによる撮影の効果が認識でき、どの撮影画像データが必要なのかの比較が容易になる。
【００１５】
請求項５記載の発明は、前記第１識別手段は、撮影画像データを含む画像ファイルのファイル名に基づき、前記オートブラケット撮影モードで撮影されたものであるか否かを識別することを特徴とする請求項１〜４何れか１項記載の再生装置に存する。
【００１６】
請求項５記載の発明によれば、撮影画像データを含む画像ファイルのファイル名に基づき、ＡＢ撮影モードで撮影されたものであるか否かを識別する。従って、ファイル名を見るだけで、ＡＢ撮影モードであるか否かを容易に識別することができる。
【００１７】
請求項６記載の発明は、前記第２識別手段は、撮影画像データを含む画像ファイルのファイル名に基づき、前記一組の撮影画像データの各々毎に変更された前記画像パラメータを識別することを特徴とする請求項１〜５何れか１項記載の再生装置に存する。
【００１８】
請求項６記載の発明によれば、撮影画像データを含む画像ファイルのファイル名に基づき、一組の撮影画像データの各々毎に変更された画像パラメータを識別する。従って、ファイル名を見るだけで、画像パラメータを容易に識別することができる。
【発明の効果】
【００１９】
以上説明したように、請求項１〜３記載の発明によれば、撮影者が意図して変更した画像パラメータの値の違いをうち消すことのない画像補正を行うことができるので、撮影者の撮影意図を反映した再生を行うことができる再生装置を得ることができる。
【００２０】
請求項４記載の発明によれば、一組の撮影画像データを、同一平面上に並べて再生することにより、ＡＢ撮影モードによる撮影の効果が認識でき、どの撮影画像データが必要なのかの比較が容易になる再生装置を得ることができる。
【００２１】
請求項５記載の発明によれば、ファイル名を見るだけで、ＡＢ撮影モードであるか否かを容易に識別することができる再生装置を得ることができる。
【００２２】
請求項６記載の発明によれば、ファイル名を見るだけで、画像パラメータを容易に識別することができる再生装置を得ることができる。
【発明を実施するための最良の形態】
【００２３】
以下、本発明の一実施の形態を、図面に基づいて説明する。図１は、本発明の再生装置を組み込んだデジタルスチルカメラの一実施の形態を示すブロック図である。
同図に示すように、デジタルスチルカメラは、光学系からカメラ本体１内に入射された被写体５０からの光を、電気信号に変換する入力装置２と、電気信号を画像データとして一時的に蓄積するフレームメモリ３（＝画像蓄積手段）と、フレームメモリ３に蓄積されている画像データに画像処理などを施す画像処理装置４（＝画像処理手段）と、画像処理が施された画像データを表示する表示装置５とを備えている。
【００２４】
デジタルスチルカメラはさらに、撮影の指示を与える撮影操作など各種操作が行われるキー操作部６と、画像処理が施された画像データを一時的に蓄積するバッファメモリ７と、撮像操作に応じて、バッファメモリに記録された画像データを撮影画像データとして記録するメモリカード８と、各部、各装置の動作を制御するマイコン９と、メモリカード８に記録された撮影画像データをプリントアウトして再生するプリント出力装置１０（＝画像再生手段）とを備えている。
【００２５】
なお、本発明の実施の形態では、デジタルカメラ内にプリント出力装置１０を内蔵している場合を例に説明するが、デジタルカメラとプリント出力装置１０とが各々別々の筐体になっている場合もある。
【００２６】
入力装置２は、例えば、図示しない光学レンズユニット（＝光学系）、被写体からの光を受光してアナログ電気信号を出力する撮像素子（ＣＣＤ：電荷結合素子）、ＣＣＤ（＝光電変換手段）を駆動する制御信号発生器（ＴＳＧ：タイミング信号発生器）、ＣＣＤから出力されたアナログ画像データをデジタル画像データに変換するアナログ（Ａ）／デジタル（Ｄ）変換器などから構成されている。フレームメモリ３では、入力装置２から入力するデジタル画像データを、一時的に保管する。
【００２７】
画像処理装置４は、ホワイトバランスのゲイン、エッジ強調係数、ガンマ変換係数等の調整を実施する画像処理部４ａを備えている。なお、色変換係数は、画像データの色合いを調整するための係数であり、エッジ強調係数は、画像データの輪郭（エッジ）を調整するための係数であり、ガンマ変換係数は、画像データの明るさを調整するための係数である。
【００２８】
画像処理装置４はまた、画像処理部４ａにて画像処理された画像データを表示装置５に表示させるための制御を行う表示制御部４ｂと、画像データをメモリカード８に格納する際に使用する記憶容量を減らす為に画像データに対してデータ圧縮処理を実施するデータ圧縮部４ｃと、画像データをメモリカード８に格納する際に使用する記憶容量を増やす為に画像データに対してデータ伸張処理を実施するデータ伸張部４ｄとを備えている。
【００２９】
また、上記画像処理部４ａは、入力装置２から出力されたＲ、Ｇ、Ｂ３色からなる画像データを、輝度Ｙと色差Ｃｂ、Ｃｒからなるデータに変換する。マイコン９は、図示しない中央処理装置（ＣＰＵ）、読み出し専用メモリ（ＲＯＭ）、書き込み読み出し自在メモリ（ＲＡＭ）等から構成されている。
【００３０】
上述した構成のカメラの一般的な動作を以下説明する。
電源スイッチがオンされると、マイコン９は、図示しないシャッタを開き、入力装置２内のＣＣＤに、レンズを介して被写体像を結像させる。ＣＣＤは、被写体像を電気信号に変換して、Ｒ、Ｇ、Ｂ３色からなるアナログ画像データとして出力する。このアナログ画像データはＡ／Ｄ変換器によってデジタル画像信号に変換される。変換されたデジタル画像データはフレームメモリ３に保管される。
【００３１】
次に、マイコン９は、フレームメモリ３に保管されたデジタル画像データの特定部分、又は全体のＲ、Ｇ、Ｂの値を読み出し適正な色合いの画像となるようなホワイトバランスのゲインＧｒ０とＧｂ０を算出する。
【００３２】
画像処理部４ａでは、Ｒ、Ｇ、Ｂ３色からなる画像データを、輝度と色差のＹ、Ｃｂ、Ｃｒ画像データに変換してバッファメモリ７に出力する。この画像変換をする際に、画像処理部４ａは、マイコン９により算出されたホワイトバランスゲインＧｒ０、Ｇｂ０を用いて、画像データのホワイトバランス調整を行う。ホワイトバランス調整が行われ、バッファメモリ７に蓄積された画像データは、画像処理装置４を介して表示装置５に送られて、表示される。上記動作は、所定時間毎（例えば、１／３０ｓ毎）に繰り返される。
【００３３】
次に、オートブラケット（ＡＢ）撮影について説明する。ＡＢ撮影とは、一回の撮影操作に応じて、色合い、輪郭、明るさといった画像パラメータの値が異なる一組の撮影画像データがメモリカード８内に記録される撮影である。
【００３４】
本実施形態では、ＡＢ撮影において、例えば、ホワイトバランスゲインを変えて画像処理を行うことにより、色合いが各々異なる一組の撮影画像データを得ている。また、エッジ強調係数を変えて画像処理を行うことにより、輪郭が各々異なる一組の撮影画像データを得ている。さらに、ガンマ変換係数を変えて画像処理を行ったり、露出値を変えて撮影を行うことにより、被写体の明るさが各々異なる一組の撮影画像データを得ている。
【００３５】
次に、一回の撮影操作に応じて、色合いの異なる３枚一組の撮影画像データが記録されるＡＢ撮影モードが選択されている時のデジタルスチルカメラの撮影動作を、以下説明する。
【００３６】
キー操作部６によって撮影操作が行われると、上述したホワイトバランス調整が行われ、バッファメモリ７に蓄積された画像データは、画像処理装置４内のデータ圧縮部４ｃに読み込まれ、例えばＪＰＥＧ圧縮により圧縮される。次に、マイコン９が、データ記録手段及びファイル作成手段として働き、上記圧縮された画像データを、一枚目の撮影画像データとし、それを含む画像ファイルを作成して、外部記録装置であるメモリカード８に記録する。
【００３７】
次に、マイコン９は、次のタイミングでフレームメモリ３に蓄積された画像データについて、その色合いが青くなるようなホワイトバランスゲインＧｒ１及びＧｂ１（Ｇｒ１＜Ｇｒ０、Ｇｂ１＞Ｇｂ０）を用いた、画像処理を画像処理装置４に行わせ、圧縮後に、二枚目の撮影画像データとして、それを含む画像ファイルを作成し、メモリカード８に記録する。
【００３８】
さらに、マイコン９は、次のタイミングでフレームメモリ３に蓄積された画像データについて、その色合いが赤くなるようなホワイトバランスゲインＧｒ２、Ｇｂ２（Ｇｒ２＞Ｇｒ０、Ｇｂ２＜Ｇｂ０）を用いた画像処理を、画像処理装置４に行わせ、圧縮後に、三枚目の撮影画像データとして、それを含む画像ファイルを作成し、メモリカード８に記録する。以上の動作により、メモリカード８には、色合いが各々異なる３枚一組の撮影画像データが記録される。
【００３９】
マイコン９は、色合いが各々異なる３枚一組の撮影画像データを各々含んだ画像ファイルをメモリカード８に記録する際、その一組の撮影画像データがＡＢ撮影モードで撮影されたことを識別可能にすると共に、一組の撮影画像データを、一連の画像データとして関連づけ、その関連づけを識別可能にする。さらに、マイコン９は、一組の撮影画像データの各々毎に変更された画像パラメータを識別可能にする。
【００４０】
ＡＢ撮影モードであること、その関連づけ、変更された画像パラメータを識別可能にする方法としては、例えば、一組の撮影画像データを含んだ画像ファイルの各々に、ＡＢ撮影モードである旨の識別データ、関連づけを識別可能にする関連データまたは画像パラメータを識別可能にするパラメータデータを保存することが考えられる。上記画像ファイルの各々に関連データを保存する方法としては、各画像ファイル内に、関連する３枚の撮影画像データのファイル名を関連データとして合わせて書き込むことが考えられる。さらに変更した画像パラメータの種類によって、識別データを変えることにより、識別データに、パラメータデータの機能を兼用させることも考えられる。
【００４１】
また、上述したように、識別データ、関連データ及びパラメータデータを、画像ファイルの各々に保存することも考えられるが、これら識別データ、関連づけデータ及びパラメータデータを、画像ファイルとは別ファイルに書き込むことも考えられる。以上のように、識別データ、関連データ、パラメータデータを保存することにより、簡単に、ＡＢ撮影モードであること、その関連づけ、変更された画像パラメータを識別可能にすることができる。
【００４２】
また、ＡＢ撮影モードであること、その関連づけ、変更された画像パラメータを識別可能にする方法としては、マイコン９をファイル名添付手段として働かせ、作成した画像ファイルに、それらを識別できるファイル名を添付することも考えられる。このようなファイル名の添付の仕方について、図２を参照して以下説明する。図２は、通常撮影を続けて２回、一回の撮影操作に応じて、ホワイトバランスゲインが異なる画像処理が各々施され、互いに色合いの異なる３枚一組の撮影画像データを記録するＡＢ撮影を続けて２回、エッジ強調係数が異なる画像処理を各々施され、互いに画像の輪郭が異なる３枚一組の撮影画像データを記録するＡＢ撮影を１回、通常撮影を１回の順番で撮影を行ったときにメモリカード８に記録されたファイル名を示している。
【００４３】
同図に示すように、通常撮影された撮影画像データのファイル名は、その先頭４文字が「ＲＩＭＧ」となっている。また、ホワイトバランスゲインを変更して、色合いを変えるＡＢ撮影によって、撮影された全撮影画像データのファイル名は、その先頭１文字が「Ｗ」となり、エッジ強調係数を変更して、画像の輪郭を変えるＡＢ撮影によって、撮影された全撮影画像データのファイル名は、その先頭１文字が「Ｓ」となっている。このように、ＡＢ撮影条件によりその値を変更した画像パラメータを示すデータをファイル名に添付することにより、ＡＢ撮影モードで撮影されたこと及びＡＢ撮影モードにより、その値が互いに変更された画像パラメータを識別可能にすることができる。
【００４４】
また、一回目のＡＢ撮影を行った場合、２文字目及び３文字目が「０１」となり、二回目のＡＢ撮影を行った場合、２文字目及び３文字目が「０２」となる。このように、ＡＢ撮影により撮影された一組の撮影画像データ毎に各々異なるデータを添付することにより、一組の撮影画像データの関連が識別できる。
【００４５】
４文字目は、ＡＢ撮影された一組の撮影画像データのうち、何枚目に作成されたファイルであるかを示している。つまり、４文字目が「１」なら一枚目に作成されたことを示し、「２」なら二枚目に、「３」なら三枚目に作成されたファイルであることを示している。
【００４６】
以上のように、ＡＢ撮影モードであること、その関連づけ、変更された画像パラメータを識別可能にするファイル名を画像ファイルに添付することにより、ファイル名を見るだけで、各事項を簡単に識別することができる。
【００４７】
次に、図１に示すデジタルカメラの再生動作について説明する。
まず、再生操作が行われると、マイコン９は、第１読出手段として働き、メモリカード８内に記録されている撮影画像データを一度バッファメモリ７に読み出す。次に、マイコン９は、画像処理装置４内のデータ伸張部４ｄを制御して、読み出した撮影画像データの伸張を行わせ、再びバッファメモリ７に書き戻させる。バッファメモリ７に書き戻された撮影画像データは、表示制御部４ｂにより読み戻され、表示装置５に表示して再生される。
【００４８】
表示装置５に表示して再生する際に、マイコン９は、第１識別手段として働き、読み出した撮影画像データが、ＡＢ撮影モードで撮影されたものであるか否かを識別する。ＡＢ撮影モードで撮影されたものであれば、マイコン９は、次に、第２読出手段として働き、メモリカード８内に保存されている関連データや、画像ファイル名に基づき、読み出した撮影画像データと共に、３枚一組の撮影画像データを構成する他の撮影画像データを検索して読み出す。さらに、マイコン９は、第２識別手段として働き、読み出した一組の撮影画像データの各々毎に、その値が変更された画像パラメータを識別する。
【００４９】
次に、マイコン９は、表示制御部４ｂを制御して、一組の撮影画像データを並べて表示すると共に、ＡＢ撮影モードで撮影されたこと、変更されている画像パラメータを識別可能に表示する。例えば、ホワイトバランスゲインを変えて、画像パラメータとして色合いを変更した場合は、図１の引用符号６０に示すように、「ＡＢ−ＡＷＢ」という文字を表示する。
【００５０】
以上のように、ＡＢ撮影した一組の撮影画像データを並べて表示することにより、オートブラケット撮影モードによる撮影の効果が認識でき、どの撮影画像データが必要なのかの比較が容易になる。また、ＡＢ撮影された旨、ＡＢ撮影により、変更されている画像パラメータを識別可能に表示することにより、撮影者が、オートブラケット撮影モードで記録された撮影画像データであることを認識できるので、同じような撮影画像データの再生が続いても誤って削除されることがない。
【００５１】
ここで、プリント再生操作が行われると、マイコン９は、プリント再生処理を行う。このプリント再生処理について、図３のマイコン９の処理手順を参照して以下説明する。まず、マイコン９は、第１読出手段及び第１識別手段として働き、プリント再生を要求されている撮影画像データが、ＡＢ撮影モードで撮影されたものであるか否かを判断する（ステップＳ１）。この判断は、例えば、メモリカード８内に保存された識別データや、画像ファイル名を読み出して行う。
【００５２】
ＡＢ撮影モードで撮影された撮影画像データでなければ（ステップＳ１でＮ）、マイコン９は、画像処理部４ａを制御して、プリント再生が要求されている撮影画像データの特徴を検出し、検出した特徴に基づいて、通常の画像補正処理を行った後（ステップＳ２）、撮影画像データをプリント出力装置１０に送られ、プリントアウトされる（ステップＳ３）。以上のことから明らかなように、画像処理部４ａは、画像補正手段、特徴検出手段として働く。
【００５３】
一方、ＡＢ撮影モードで撮影された撮影画像データであれば（ステップＳ１でＹ）、マイコン９は、画像処理部４ａを制御して、プリント再生が要求されている撮影画像データの特徴を検出し、検出した特徴に基づいて、画像処理通常の画像補正処理とは異なるＡＢ撮影用画像補正処理を行った後（ステップＳ４）、ステップＳ３に進む。
【００５４】
以下、上記ＡＢ撮影用画像補正処理の具体的な動作について説明する。
まず、マイコン９は、第２識別手段として働き、メモリカード８内に保存されているパラメータデータや、画像ファイル名に基づき、プリント再生を要求されている撮影画像データを含む一組の撮影画像データの各々毎に変更された画像パラメータを識別する。
【００５５】
この識別によって、例えば、ホワイトバランスゲインを変えて画像処理が行われた結果、画像パラメータとして色合いがそれぞれ変更されたと判断すると、マイコン９は、画像処理装置４を制御して、画像補正処理のうち、色合いを補正するホワイトバランスに関する処理だけを行わないようにしたり、または、ホワイトバランスに関する補正量を通常の補正より小さくしたりする。
【００５６】
画像パラメータとして輪郭や明るさが変更されている場合も同様に、画像補正処理のうち、輪郭を補正する画像補正処理、明るさを補正する画像補正処理だけ行わないようにしたり、補正量を通常より小さくしたりする。
【００５７】
以上述べたＡＢ撮影用画像補正処理を、ＡＢ撮影された撮影画像データの各々について行われれば、例えば、色合い、輪郭、明るさが変更された一組の撮影画像データについては、その色合い、輪郭、明るさの違いを打ちだすような画像補正処理が行われたりすることがなくなる。つまり、撮影者が意図して変更した画像パラメータの値の違いをうち消すような画像補正処理が行われることがなくなり、撮影者の撮影意図を反映した撮影画像データを、プリントアウトすることができる。
【００５８】
次に、別の実施形態におけるＡＢ撮影用画像補正処理の動作について、説明する。
まず、マイコン９は、第２読出手段として働き、メモリカード８内に保存されている関連データや、画像ファイル名に基づき、プリント再生を要求されている撮影画像データと共に、３枚一組の撮影画像データを構成する他の撮影画像データを検索して読み出す。そして、読み出した３枚一組の撮影画像データの各々毎に、変更されている画像パラメータの値の互いの差分を、抽出する。
【００５９】
上記画像パラメータの値の差分を抽出する方法としては、例えば、ＡＢ撮影により撮影された一組の撮影画像データを、メモリカード８に記録する際に、変更した画像パラメータの値を示すデータが予め保存されていたり、画像パラメータの値を示すファイル名が添付されていれば、そのデータや、ファイル名を読み出して抽出する方法がある。
【００６０】
一方、そのデータが予め保存されていなかったり、画像パラメータの値を示すファイル名が添付されていない場合は、画像処理部４ａによって、一組の撮影画像データの各々について検出した特徴に基づいて抽出することも考えられる。その後、マイコン９は、画像処理部４ａを制御して、抽出した画像パラメータの値の差分が保たれるように、一組の撮影画像データの画像補正処理を行う。
【００６１】
以上述べたように、読み出された一組の撮影画像データに対して画像補正処理を行う際に、画像パラメータ値の差分が保たれるように、画像補正処理を行うことにより、撮影者が意図して変更した画像パラメータの値の違いをうち消すことのない画像補正を行うことができ、撮影者の撮影意図を反映した撮影画像データを、プリントアウトすることができる。
【００６２】
なお、上述した実施形態では、デジタルスチルカメラが、一回のＡＢ撮影モードで撮影された一組の撮影画像データをメモリカード８に記録する際に、ＡＢ撮影モードで撮影されたこと、その一組の撮影画像データの関連づけ、その一組の撮影画像データの各々毎に値が変更されている画像パラメータの３点を識別可能に記録していた。しかしながら、一組の撮影画像データを並べて表示したりする必要が無く、２つ挙げた画像補正処理のうち、先に述べた画像補正処理を行う場合、マイコン９は、関連づけを識別することなく、ＡＢ撮影モードで撮影されたこと及び上記一組の撮影画像データの各々毎にその値が変更された画像パラメータを識別可能にするだけでも良い。
【００６３】
また、２つ挙げた画像補正処理のうち後に述べた画像補正処理を行う場合、画像処理装置４を使って変更された画像パラメータと、互いの画像パラメータの値の差分を抽出するものであれば、デジタルスチルカメラは、変更した画像パラメータを識別することなく、ＡＢ撮影されたこと及びその関連づけだけを識別可能にすることも考えられる。
【００６４】
さらに本実施形態では、記録媒体をメモリカード８としたが、デジタルスチルカメラの内蔵メモリでもよい。
【００６５】
また、再生装置はデジタルスチルカメラ内にある場合を説明したが、デジタルスチルカメラとは切り離された再生装置でも良い。この場合、再生装置が、データを読み出す形態は、デジタルスチルカメラがメモリカード８から読み出す場合と、再生装置がデジタルスチルカメラから有線または無線接続で読み出す場合と、再生装置のカードドライブを使ってメモリカード８から読み出す場合の３つの形態などが考えられる。
【００６６】
以上実施の形態に基づいて本発明を説明したが、本発明は上述した実施の形態に限定されるものではなく、本発明の要旨の範囲内で種々の変形や応用が可能である。ここで、本発明の要旨をまとめると以下のようになる。
【００６７】
（１）  記録媒体に記録された撮影画像データを読み出す第１読出手段と、前記読み出した撮影画像データを再生する画像再生手段と、前記撮影画像データの画像補正処理を行う画像補正手段とを備えた再生装置において、
前記読み出した撮影画像データが、一回の撮影操作に応じて、画像処理により調整可能な画像パラメータの値が各々異なった一組の撮影画像データが記憶されるオートブラケット撮影モードで撮影されたものであるか否かを識別する第１識別手段と、
前記一組の撮影画像データの各々毎に変更された前記画像パラメータを識別する第２識別手段とをさらに備え、
前記画像補正手段は、前記第１識別手段により前記撮影画像データが前記オートブラケット撮影モードで撮影されたものであると識別されたとき、当該撮影画像データに対して前記第２識別手段により識別された前記変更された画像パラメータに関する画像補正処理を行わないこと
を特徴とする再生装置。
【００６８】
（２）  記録媒体に記録された撮影画像データを読み出す第１読出手段と、前記読み出した撮影画像データを再生する画像再生手段と、前記撮影画像データの画像補正処理を行う画像補正手段とを備えた再生装置において、
前記読み出した撮影画像データが、一回の撮影操作に応じて、画像処理により調整可能な画像パラメータの値が各々異なった一組の撮影画像データが記憶されるオートブラケット撮影モードで撮影されたものであるか否かを識別する第１識別手段と、
前記一組の撮影画像データの各々毎に変更された前記画像パラメータを識別する第２識別手段とをさらに備え、
前記画像補正手段は、前記第１識別手段により前記読み出した撮影画像データが前記オートブラケット撮影モードで撮影されたものであると識別されたとき、当該撮影画像データに対して前記第２識別手段により識別された前記変更された画像パラメータの値の補正量を、前記オートブラケット撮影モードで撮影されていない撮影画像データに対する前記画像パラメータの値の補正量よりも小さくして画像補正処理を行う
ことを特徴とする再生装置。
【００６９】
（３）  （２）記載の再生装置であって、
前記画像補正手段が、前記第２識別手段により識別された前記画像パラメータの値の前記一組の撮影画像データ間での互いの差分が保たれるように、前記画像補正処理を行うこと
を特徴とする再生装置。
【００７０】
（４）  （１）〜（３）何れか１項記載の再生装置であって、
前記読み出した撮影画像データが前記第１識別手段により前記オートブラケット撮影モードで撮影されたものであると識別されたとき、当該撮影画像データとともに、前記一組の撮影画像データを構成する他の撮影画像データを読み出す第２読出手段とをさらに備え、
前記再生手段は、前記読み出した前記一組の撮影画像データを、同一平面上に並べて再生すること
を特徴とする再生装置。
【００７１】
（５）  （１）〜（４）何れか１項記載の再生装置であって、
前記第１識別手段は、撮影画像データを含む画像ファイルのファイル名に基づき、前記オートブラケット撮影モードで撮影されたものであるか否かを識別すること
を特徴とする再生装置。
【００７２】
（６）  （１）〜（５）何れか１項記載の再生装置であって、
前記第２識別手段は、撮影画像データを含む画像ファイルのファイル名に基づき、前記一組の撮影画像データの各々毎に変更された前記画像パラメータを識別すること
を特徴とする再生装置。
【図面の簡単な説明】
【００７３】
【図１】本発明のデジタルスチルカメラ及び再生装置を組み込んだデジタルスチルカメラの一実施形態を示すブロック図である。
【図２】メモリカード８内に記録された画像ファイルの一例を示す図である。
【図３】マイコン９の再生処理における処理手順を示すフローチャートである。
【符号の説明】
【００７４】
３    フレームメモリ（画像蓄積手段）
４    画像処理装置（画像処理手段、画像補正手段、特徴検出手段）
９    マイコン（データ記録手段、ファイル作成手段、ファイル名添付手段、読出手段、第１読出手段、第２読出手段、第１識別手段、第２識別手段）
１０  プリント出力装置（画像再生手段）
【図１】
2006136026.tif 000003
【図２】
2006136026.tif 000004
【図３】
2006136026.tif 000005